(57)【特許請求の範囲】
【請求項１】
天井に隣接する外壁の上端部近傍に水平方向へ延びる細長い開口と、
該開口の下端縁に沿って上記外壁から天井と大略平行に外方へ突出する反射板とを設け、屋外の自然光を上記反射板で反射させ上記開口を通して天井表面へ入射させるようにすると共に、
外壁の側端部に垂直方向へ延びる細長い開口と、
該開口を設けた側の側端部に隣接する壁部に、上記外壁より外方へ延長される延長部とを設け、屋外の自然光を上記延長部で反射あるいは遮断させ、上記開口を通して、上記外壁に隣接する壁部の内表面へ入射あるいは遮断させるようにしたことを特徴とする壁面照明方法。
【請求項２】
天井に隣接する外壁の上端部近傍に水平方向へ延びるように設けた細長い開口と、
該開口の下端縁に沿って上記外壁から天井と大略平行に外方へ突出するように設けられた反射板とを設けると共に、
外壁の側端部に垂直方向へ延びる細長い開口と、
該開口を設けた側の側端部に隣接する壁部に、上記外壁より外方へ延長される延長部とを設けたことを特徴とする壁面照明設備。
【発明の詳細な説明】
【０００１】
【産業上の利用分野】
本発明は、屋外の自然光を用いて室内の天井表面や壁面を照明するようにした壁面照明方法及びその設備に関するものである。
【０００２】
【従来の技術】
昼間における住宅の室内照明は、できる限り屋外の自然光（太陽光）を取り入れて行うことが健康的な居住空間をつくる上で好ましく、また、自然光を利用することにより照明用の消費電力を削減できる省エネルギー効果もある。ところが、近年、都市部の住宅密集地域等では、隣接する棟によって自然光が遮断される等の事情で、自然光を充分に室内に取り込めない状況が発生しがちである。そのため、例えば、屋外の屋根上等にレンズ等の集光装置を配置して自然光を集光し、これをファイバーケーブルで室内へ伝送して照明光として用いる集光伝送装置が開発されている。
【０００３】
【発明が解決しようとする課題】
ところが、上記集光伝送装置は高価な装置であるので、未だ、一般住宅に普及するには至っていない。また、隣接する棟による自然光の遮断がない場合でも、自然光は人工照明とは異なり、天候や季節、時刻の変化に応じて光量や色温度が変化するばかりでなく、特に直射日光が屋内に差し込むと眩しさの原因となるので、カーテンやブランイド等で遮光することが多く、室内照明として自然光を有効に利用できない問題がある。
【０００４】
【課題を解決するための手段】
本発明は前記の課題を解決して、自然光を室内の壁面に向けて入射させることにより、直射日光による眩しさを回避しつつ、室内照明として有効利用することのできる壁面照明方法及びその設備を提供することを目的としている。
【０００５】
そのため、本発明の請求項１の壁面照明方法は、天井に隣接する外壁の上端部近傍に水平方向へ延びる細長い開口を設けるとともに、この開口の下端縁に沿って上記外壁から天井と大略平行に外方へ突出する反射板を設け、屋外の自然光を上記反射板で反射させ上記開口を通して天井表面へ入射させるようにしたことを特徴とするものである。
また、外壁の側端部に垂直方向へ延びる細長い開口と、該開口を設けた側の側端部に隣接する壁部に、上記外壁より外方へ延長される延長部とを設け、屋外の自然光を上記開口を通して、上記外壁に隣接する壁部の内表面へ入射あるいは遮断させるようにしたことを特徴とするものである。
ここで、上記延長部は直射日光を含む自然光を室内に向けて反射する役割を果たすとともに、太陽が上記壁部の外側方に位置している時間帯には、上記開口を通して直射日光が室内に差し込むのを遮断する役割を果たす。
なお、本明細書において、壁面とは天井表面を含む概念であり、また、自然光とは、直射日光と、いわゆる天空光（空の拡散光）との双方を含んでいる。
【０００７】
請求項２の壁面照明設備は、天井に隣接する外壁の上端部近傍に水平方向へ延びるように設けた細長い開口と、この開口の下端縁に沿って上記外壁から天井と大略平行に外方へ突出するように設けられた反射板とを備えたことを特徴とするものである。
また、外壁の側端部に垂直方向へ延びる細長い開口と、該開口を設けた側の側端部に隣接する壁部に、上記外壁より外方へ延長される延長部とを設けたことを特徴とするものである。
【００１１】
【発明の実施の形態】
以下、本発明の実施の形態を図面に基づいて説明する。垂直断面説明図である図１に示すように、本発明の第１の実施の形態では、住宅の部屋１における屋外に面した外壁、好ましくは南向き等の日当たりのよい方位の外壁である前壁２の上端部近傍に、天井３に隣接して水平方向へ延びる細長い開口４を形成している。また、この開口４の下端縁に沿って、天井３と大略平行に前壁２から前方、つまり、外方へ突出する反射板５を設けている。反射板５は、耐候性が良好であるとともに、反射率が高く、光沢のない材料で形成するのが好ましい。具体的には、例えば、外壁パネルを白ペンキで仕上げたものや、アルミニウム板に表面処理を施したもの等を反射板５として使用できる。
【００１２】
上記の構成によれば、太陽６からの直射日光を含む自然光は、反射板５で反射されて天井３の表面（壁面）に入射し、天井３表面を明るくすることにより、間接的に室内を照明する。開口４は前壁２の上端部近傍のみに設けられているので、開口４を通して室内に入射する直射日光の量はさほど多くはなく、眩しさの原因となる恐れは少ないものである。
【００１３】
なお、図示しないが、開口４には、窓サッシを介して窓ガラスを装着するのが好ましく、その場合、上記窓ガラスは開閉可能とすることもできるが、前壁２の上端部近傍に位置する明かり取り用窓であるので、通常は固定式で充分である。
【００１４】
図２に開口４以外の部位を密閉した上記部屋１の縮小模型と人工天空、つまり、太陽６に代わる人工照明器具を用いて、部屋１内の明るさを測定した結果を模式的に示す。図２は、前壁２と対向する後壁（図示せず）側から部屋１内を概略の投影図として示したもので、ハッチングで示す領域Ｓ１は最も暗く、斑点を付した領域Ｓ２は領域Ｓ１よりやや明るく、白紙の領域Ｓ３は最も明るかった。なお、図示しない上記人工照明器具は、前壁２の中央部の斜め上方に位置させた。
【００１５】
図２から明らかなように、前壁２の内表面は暗いものの、天井３の中央部や床面７の中央部は明るく、また、両側壁８の内表面もかなり明るくなっている。天井３の中央部の明るさは反射板５（図２では図示省略）による反射光によるものであり、床面７の中央部の明るさは直射日光を含む自然光が開口４から直接入射したことによるものである。なお、天井３、床面７、側壁８のいずれにおいても、前壁２に近い領域程明るく、後壁側に近付く程暗くなる。
【００１６】
図３は第１の実施の形態の変形例であり、前記反射板５に加えて、開口４の下端縁に沿って前壁２から天井３と平行に室内側へ延びる反射板９を設けたものである。これにより、開口４から室内に直接入射する直射日光の量を更に少なくするとともに、天井３の表面に対する反射量を多くすることによって、直射日光による眩しさの問題を一層確実に回避することができる。
【００１７】
図４に本発明の第２の実施の形態を示す。図４は水平断面説明図であって、部屋１ａの一方の側壁８（壁部）に隣接した前壁２（外壁）の側端部に、上下方向へ延びる細長い開口１０を設けるとともに、側壁８の前端部に、前壁２より前方、つまり、外方へ延長される延長部８ａを設けている。
【００１８】
これにより、太陽６の直射日光を含む自然光は、開口１０を介して側壁８の内表面に入射し、側壁８内表面を明るくすることにより、眩しさのないソフトな照明空間を演出する。延長部８ａが屋外の自然光を室内側へ反射することにより、室内に取り込まれる自然光の量が増すとともに、点線で示すように、太陽６が側壁８の外側方に位置している時間帯には、延長部８ａが直射日光を遮断して、室内に直射日光が差し込むことを防止する。なお、図示しないが、この場合も、開口１０に窓サッシを介して窓ガラスを装着することが好ましい。
【００１９】
図５に部屋１ａの縮小模型と人工天空を用いて部屋１ａ内の明るさを測定した結果を模式的に示す。側壁８近傍の前壁２に縦長の開口１０を設けた場合は、白紙で示す明るい領域Ｓ４は開口１０の近傍の側壁８と床面７の一部領域のみであり、それ以外のハッチングで示す領域Ｓ５は暗いものであり、領域Ｓ５は図２に示す領域Ｓ１より更に暗かった。開口１０の横幅を大きくすれば、照明効果はそれだけ向上するものの、第２の実施の形態は、上記第１の実施の形態と比較すれば、自然光の入射する範囲が開口１０の近傍のみに限定される傾向がある。但し、開口１０を前壁２の両側端部に設けたり、開口１０を単独で使用する代わりに、第１の実施の形態の開口４と併用することにより、全体として良好な照明効果を奏することができる。
【００２０】
次に、応用例を示す。図６は前壁２を室内側から見た概略正面図であって、ここでは、前壁２の中央部に設けた開口１１に、サッシ１２にガラス１３を嵌着してなる通常の開き戸１４を開閉自在に取り付けるとともに、この開き戸１４の上方における前壁２の上端部に上記第１の実施の形態の開口４を、前壁２の左右両側端部に上記第２の実施の形態の開口１０を形成している。開口４及び１０には、各々窓サッシ１５、１６を介して窓ガラス１７、１８を固定式に装着する。
【００２１】
開き戸１４や窓ガラス１７、１８に、図示しないカーテンやブラインド等の遮光部材を開閉自在に設ける場合、開き戸１４と窓ガラス１７、１８とに対して、上記遮光部材を各々独立に設けて、例えば、開き戸１４のみを遮光して直射日光が大量に室内に入射するのを防止するとともに、窓ガラス１７、１８を通して天井表面や側壁の内表面に自然光を入射させることができるように構成するのが好ましい。なお、上記の実施の形態等では、一つの外壁、例えば、前壁２のみに開口４、１０を設けたが、部屋１、１ａの配置によっては、相異なる複数の外壁に開口４、１０を設けることにより、更に、良好な照明効果を得ることができる。
【００２２】
【発明の効果】
本発明の請求項１の壁面照明方法は、天井に隣接する外壁の上端部近傍に水平方向へ延びる細長い開口を設けるとともに、この開口の下端縁に沿って上記外壁から天井と大略平行に外方へ突出する反射板を設け、屋外の自然光を上記反射板で反射させ上記開口を通して天井表面へ入射させるようにしたので、天井表面を介して室内が自然光により間接的に照明されるようになり、直射日光による眩しさを回避しつつ自然光を室内照明に有効利用できる利点がある。
また、外壁の側端部に垂直方向へ延びる細長い開口と、該開口を設けた側の側端部に隣接する壁部に、上記外壁より外方へ延長される延長部とを設け、屋外の自然光を上記開口を通して、上記外壁に隣接する壁部の内表面へ入射あるいは遮断させるようにしたので、直射日光による眩しさを回避しつつ自然光を室内照明に有効利用できるものである。
また、上記延長部は直射日光を含む自然光を室内に向けて反射することにより照明効果を高める一方、太陽が上記壁部の外側方に位置している時間帯には、上記開口を通して直射日光が室内に差し込むのを遮断し、直射日光による眩しさを防止する役割を果たし、好適である。
【００２４】
請求項２の壁面照明設備は、天井に隣接する外壁の上端部近傍に水平方向へ延びるように設けた細長い開口と、この開口の下端縁に沿って上記外壁から天井と大略平行に外方へ突出するように設けられた反射板とを備えたものであるから、屋外の自然光が反射板で反射された後、天井表面に入射するようになり、直射日光による眩しさを回避しつつ、天井表面を明るくして自然光を室内照明に有効利用することにより、照明用の電力消費を削減することができる。更に、開口と反射板のみで安価に構成できる利点もある。
また、外壁の側端部に垂直方向へ延びる細長い開口と、該開口を設けた側の側端部に隣接する壁部に、上記外壁より外方へ延長される延長部とを設けたものであるから、直射日光による眩しさを回避しつつ壁部の内表面を明るくして、ソフトな照明空間を演出することができるとともに、自然光を室内照明に利用することにより、照明用の電力消費を削減することができる。また、開口のみで安価に構成できる利点がある。
また、上記延長部は直射日光を含む自然光を室内に向けて反射することにより照明効果を高める一方、太陽が上記壁部の外側方に位置している時間帯には、上記開口を通して直射日光が室内に差し込むのを遮断し、直射日光による眩しさを防止する役割を果たし、好適である。
【図面の簡単な説明】
【図１】本発明の第１の実施の形態における壁面照明設備を示す垂直断面説明図。
【図２】上記第１の実施の形態における室内の照明状況を模式的に示す投影図。
【図３】上記第１の実施の形態の変形例を示す垂直断面説明図。
【図４】本発明の第２の実施の形態の壁面照明設備を示す水平断面説明図。
【図５】上記第２の実施の形態における室内の照明状況を模式的に示す投影図。
【図６】本発明の応用例における前壁を室内側から示す概略正面図。
【符号の説明】
２  前壁（外壁）
３  天井
４、１０  開口
５  反射板
８  側壁（壁部）
８ａ  延長部
【図１】
0003856527.tif 000002
【図２】
0003856527.tif 000003
【図３】
0003856527.tif 000004
【図４】
0003856527.tif 000005
【図５】
0003856527.tif 000006
【図６】
0003856527.tif 000007